(57)【特許請求の範囲】
【請求項１】
2枚の長辺方向枠板6と、2枚の短辺方向枠板8とを含み、前記長辺方向枠板6には、
所定位置に設けた前記固定棒貫通孔11と円弧状の開口部13を有し、前記短辺方向枠
枠板8には、その端部に突出させた固定棒10と固定部材ネジ孔12とを有し、前記
短辺方向枠板8の前記固定棒10を前記長辺方向枠板6の前記固定棒貫通孔11に挿
通し、固定部材14を前記円弧状の開口部１３を介して前記固定部材ネジ孔12に固
定することにより目地高さを調整可能としたことを特徴とする基本型横筋ブロック
用目地型枠。
【発明の詳細な説明】
【技術分野】
【０００１】
この発明は、基本型横筋ブロックの目地型枠に関するものである。
【背景技術】
【０００２】
先行技術文献においては、図10標準ブロックにおいての目地型枠構成を公開している。
従来の目地型枠構成としては、標準ブロックを積み上げるためのモルタルの盛り付け
作業の際、周辺にモルタルが落ちるのを防ぎ、かつモルタルの量を最小限に抑える対策を施したものが開示されている（特許文献１、特許文献2）。又、トロのこぼれ防止のためにラッパ状の受け口とスライドの移動コテ盛り具を設ける構成（特許文献3）や空洞コンクリートブロックの空洞部分を覆う型枠で閉塞する構成（特許文献4）なども開示されている。これらの技術を用いれば堅固な構造で目地モルタルを盛り付ける作業は支障なく実施できる。しかし、これらの先行技術文献では、横鉄筋、縦鉄筋の挿入を考慮した構成については全く記載されていない。実際に、従来の目地型枠構成を用いたブロック塀では平成7年の阪神・淡路大震災において倒壊が多数発生したことが知られている。
【先行技術文献】
【特許文献】
【０００３】
【特許文献１】特開2005-36387組積用接合目地型枠
【特許文献２】特開平10-306589ブロック、レンガ、接着モルタル盛り用具
【特許文献３】特開平10-220019ブロック積用トロ盛り具
【特許文献４】実開昭55-134461空洞コンクリートブロック接続用モルタルの型枠
【発明の概要】
【発明が解決しようとする課題】
【０００４】
従来技術では、日本工業規格で規定されているブロックの厚みに対応するためには枠全体を厚みに対応する寸法に製作しなければならない。このために余分な材料、製作経費が必要となる。又、モルタル目地枠の高さが一定であるために、目地高さの調整ができず、作業性が悪いという課題を有している。さらに、従来技術では、基本型ブロック
のみを対象としているため、横鉄筋を取付けることができず、従って耐震基準を満たす
ことが難しい。このために、大きな地震がくれば倒壊する可能性が高いという課題を有
している。
【０００５】
また、従来技術では、ブロックの水平方向（作業進行方向）での直線性とブロック自体の水平性及び高さは、水糸を基準に作業しているので熟練度が要求されるという課題もある。
【０００６】
さらに従来技術では、目地の型枠用具は、特に夏季の暑中において作業をする場合、目地モルタルの混練時から目地モルタル盛り付け時までの時間経過によっては目地モルタルの硬軟度合いが変化するために、モルタルの流動性とブロックの接合性が悪
くなることがある。これを防ぐために、水の補給や、セメントの補給等をすることが必要となり、余分な材料や労力作業が必要となるという課題を有している。
【課題を解決するための手段】
【０００７】
上記課題を解決するために、本発明の基本型横筋ブロック用目地型枠は、２枚の長辺
方向枠板と、２枚の短辺方向枠板とを含み、前記長辺方向枠板には所定位置に設けた貫通
孔と円弧状の開口部等を有し、前記短辺方向枠板には、その端部に突出させた固定棒と
固定部材ネジ孔を有し、前記短辺方向枠板の前記固定棒を前記長辺方向枠板の前記貫通
孔に挿通し、前記固定部材ネジ孔に固定部材で固定することにより目地高さを調整可能と
した機構を有することを特徴とする。
【発明の効果】
【０００８】
本発明の基本型横筋ブロック用目地型枠は、簡単に、効率よく目地モルタルを目地コ
テで軽く押さえる程度の簡単な作業で一定高さや水平度を得ることができ、正確でしか
もきれいに仕上げることができる。特に、暑中や寒中において、水の量やセメントの量
等、いわゆる水セメント比が変化してもモルタル目地高さを簡単に調整でき、作業効率
が一段と向上するという効果を有する。なお、基本型横筋ブロックは図9に示す構造で
ある。特に、夏季においては、混練り時からモルタルの盛り付け時までの時間経過によ
り水分が大きく減少して、これが目地高さに影響するが、本発明の基本型横筋ブロック
用目地型枠を用いれば目地高さ調整機構により簡単に対応することができる。
また、間仕切り壁等のように、コンクリートブロック全体の積み上げをして所定の計
画高さに合致させるようにする場合において、コンクリートブロックの段数と目地の高
さを予め計算割付し、基本型横筋ブロック用目地型枠短辺方向の高さ調整機構を調節す
れば、簡単に、かつ正確にコンクリートブロックの積立作業をすることができる効果も
有する。
【図面の簡単な説明】
【０００９】
【図１】本発明の実施形態に係る横筋ブロック用目地型枠を用いてコンクリートブロックの横筋ブロックをそれぞれモルタルで接合して組み上げる構成を示す斜視図。
【図２】本実施形態に係る横筋ブロック用目地型枠の全体斜視図。
【図３】本実施形態にかかる横筋ブロック用目地型枠に予め設定した目地高さを付与するための調節機構を説明する図。
【図４】本実施形態にかかる横筋ブロック用目地型枠において、目地高さを最大とした場合の取合い位置状態を示す図。
【図５】本実施形態にかかる横筋ブロック用目地型枠において、目地高さを最大とした場合の断面図。
【図６】本実施形態にかかる横筋ブロック用目地型枠において、目地高さを最小とした場合の取合い位置状態を示す図。
【図７】本実施形態にかかる横筋ブロック用目地型枠において、目地高さを最小とした場合の断面図。
【図８】本実施形態にかかる横筋ブロック用型枠において、位置決め部材を高さ調整固定ネジ孔に押し込んで固定する構成を示す図。
【図９】本実施形態にかかる基本型横筋ブロックの姿図。
【図１０】先行技術対照の基本形ブロックの姿図。
【発明を実施するための形態】
【００１０】
以下、本発明の実施の形態の横筋ブロック用目地型枠100を図1〜図9に基づいて
説明する。図1は、本発明の実施形態に係る横筋ブロック用目地型枠100を用いてコ
ンクリートブロックの横筋ブロック1をそれぞれモルタルで接合して組み上げる構成
を示す斜視図である。横筋ブロック１には、横鉄筋挿入溝２とブロック空洞部３が設け
られている。この横筋ブロック１を図に示すように横方向に複数水平に配置し、横鉄筋
挿入溝２に横鉄筋５を通す。そして、さらに横筋ブロック１の突合せ部に縦鉄筋４を通
し横鉄筋５と縦鉄筋４とは図示しない針金等で結線する。本実施形態に係る横筋ブロ
ック用目地型枠１００は図示するように２枚の長辺方向枠板６と、長辺方向枠板６よ
り直角に突き出た複数の目地モルタル最小高保持受板７と、２枚の短辺方向目地高枠
板８を主な構成要素として構成されている。これらの材質は、鉄、プラスチック、木材
など、コンクリートブロックに挟み込んでモルタルを盛り付けるときに変形しない程度の剛性を有する板材であれば特に材質の制限はない。本実施の形態ではステンレス板材を用いた構成について説明する。このような本実施形態に係る横筋ブロック用目地型枠１００を横筋ブロック１の上面に配置するが、そのときに目地高さを調整することが自由にできるという特徴を有している。その目地高さの調整は、例えば木片等による階段状の目盛高さ定規により短辺方向目地高枠板８の下部に差し込み、差し込んだ状態で固定部材及び位置決め部材により固定すれば容易に行える。この横筋ブロック用目地型枠１００を横筋ブロック１の上面に、予め設定した目地高さを保持して固定した後、モルタルを盛り付ければ所定の目地高さに仕上げることができる。モルタルを盛り付けた後は容易に外すことも可能であり、作業性を飛躍的に改善できるという特徴を有する。
【００１１】
図２は、本実施形態に係る横筋ブロック用目地型枠１００の全体斜視図であり、２枚の短辺方向目地高枠板８は長辺方向枠板６に、固定部材１４で固定して一体化されている。図３は、横筋ブロック用目地型枠１００に予め設定した目地高さを付与するための調節機構を説明する図で、図２のＡ−Ａ方向から見た部分図である。短辺方向目地高枠板８には、折り曲げて形成されている目地高調整機構部材９があり、この目地高調整機構部材９には固定棒１０と固定部材ネジ孔１２が設けられている。なお、図中に示すｃは三角部材目地モルタル最大高時の天端内側位置であり、ｄは三角部材目地モルタル最大高時の天端外側位置を示している。一体化する場合には、短辺方向目地高枠板８の固定棒１０を長辺方向枠板６の所定部分に設けられた固定棒貫通孔１１に挿通し、固定部材１４を円弧状の開口部１３を介して固定部材ネジ孔１２にねじ止めする。固定部材１４としては、例えば蝶ボルトを用いることができる。目地高さの調節は、固定棒１０を中心にして短辺方向目地高枠板８を回転させ、所定の高さに設定したら固定部材１４を円弧状の開口部１３を介して固定部材ネジ孔１２に固定すればよく、目地高さの調節が容易な構造となっている。
なお、図２に示す長辺方向枠板先端部ａと水平方向安定性働き長さ位置ｂとの長さ部分は、ブロック積立進行方向への水平方向と、高さとの安定確保を図る働き長を持ち、直前に積みあげた横筋ブロック１に差し込みできる程度の長さとしている。
【００１２】
図4から図８は、目地高さを調節する方法を説明する図である。図4は、目地高さを最大とした場合の取合い位置状態を示し、図5は同様に目地高さを最大とした場合の断面図である。目地高調整機構部材９は、図示するように三角形状であり、短辺方向目地高枠板８から直角に折り曲げて形成されている。上記のように、目地高調整機構部材９には固定棒１０が設けられており、その固定棒１０は長辺方向枠板６の固定棒貫通孔１１に挿通され、短辺方向目地高枠板８の回転軸となっている。目地高さを最大にする場合には、目地高調整機構部材９の上面（ｃ−ｄ面）が長辺方向枠板６の上面とほぼ同一面になるようにして固定部材１４を円弧状の開口部１３を介して固定部材ネジ孔１２ねじ止めする。なお、本実施の形態では固定部材１４として蝶ボルトを用いる場合を示しているが、蝶ボルトに限定されることはなく種々の形状のボルトを用いることができる。目地モルタル盛り付け箇所は、図５に示すｆの位置で、長辺方向枠板６の最上面からｚの位置となる。この状態において横筋ブロック１の上面に横筋ブロック用目地型枠１００を配置した断面構成を図5に示す。
【００１３】
図６は、目地高さを最小とした場合の取合い位置状態を示し、図7は同様に目地高さを最小とした場合の断面図である。目地高調整機構部材９を内側方向に回転させ円弧状の開口部１３の最上部にて固定部材１４で固定する。この場合の目地モルタル盛り付け箇所は、図６に示すｆの位置で、長辺方向枠板６の最上面からｘの位置になる。したがって、目地モルタル盛り付け高さは、目地高調整機構部材９を回転させて固定部材１４で固定することにより、ｘからｚまでの範囲で任意に設定することができる。この状態において横筋ブロック１の上面に横筋ブロック用目地型枠１００を配置した構成を図８に示す。なお、この距離は１０ｍｍ〜２５ｍｍに設定すれば、ほとんどのブロックに対応することができる。
なお、本実施の形態では、固定部材１４として蝶ボルトを用いたが、本発明はこれに限定されない。例えば、図8に示すような構成であってもよい。図8は、位置決め部材１６を高さ調整固定ネジ孔１２に押し込んで固定する構成を示す図である。位置決め部材１６としては、例えばコッターピンを用いることができる。この場合、高さ調整固定ネジ孔１２には、ネジ溝が刻まれている必要はない。
なお、本発明は上記実施の形態に限定されることはなく、例えば従来の標準ブロックを用いる場合であっても有効に用いることができる。
【産業上の利用可能性】
【００１４】
コンクリートブロックを積み上げて構成する構造物の建造分野に有効である。
【符号の説明】
【００１５】
1  横筋ブロック
2  横鉄筋挿入溝
3  ブロック空洞部
4  縦鉄筋
5  横鉄筋
6  長辺方向枠板
7  モルタル最小高補助受板
8  短辺方向枠板
9  目地高調整機構部材
10  固定棒
11  固定棒貫通孔
12  固定部材ネジ孔
13   円弧状の開口部
14  固定部材（例：蝶ボルト）
15  目地モルタル盛付け個所
16  位置決め部材（例：コッターピン等）
100基本型横筋ブロック用目地型枠全体図
ａ  長辺方向枠板先端部
ｂ  水平方向安定性働き長さ位置
ｃ  三角部材目地モルタル最大高時の天端内側位置
ｄ  三角部材目地モルタル最大高時の天端外側位置
ｅ  三角部材目地モルタル最大高時の位置（ブロック天端接点側）
ｆ  コンクリートブロック天端
ｇ  三角部材目地モルタル最小高時の内側位置（ブロック天端接点側）
ｈ  三角部材目地モルタル最小高時の天端位置
ｉ  三角部材目地モルタル最小高時の外側位置
ｘ  目地モルタル最小高さ
ｙ  目地モルタル調整高さ
ｚ  目地モルタル最大高さ
【図１】
0005221705.tif 000002
【図２】
0005221705.tif 000003
【図３】
0005221705.tif 000004
【図４】
0005221705.tif 000005
【図５】
0005221705.tif 000006
【図６】
0005221705.tif 000007
【図７】
0005221705.tif 000008
【図８】
0005221705.tif 000009
【図９】
0005221705.tif 000010
【図１０】
0005221705.tif 000011